(57)【要約】      （修正有）【課題】生花の導管を損傷して生花の水揚げが阻害されて生花が短期間に枯れるのを防止しつつ、生花を確実に支持することが可能な生花の支持部と防水シートの組合せを提供する。【解決手段】支持部ＳＴと円形底盤部ＰＴからなる生花の支持具１００において、支持部は、複数のＳ字形状片から構成された花弁形状体（ＳＳ）からなり、Ｓ字形状片は、相互に結合されて支持部の水平断面において点対称な花弁形状のシェル構造を構成する。また、円形底盤部は、内部が空洞の円形状のシェル構造を構成してなり、支持部と円形底盤部とは一体に結合されてシェル構造を構成してなる。【選択図】図１
0003172462.tif 000002
【実用新案登録請求の範囲】
【請求項１】
支持部と円形底盤部からなる生花の支持具において、支持部は、複数のＳ字形状片（Ｓ）から構成された花弁形状体（ＳＳ）からなり、Ｓ字形状片（Ｓ）は、相互に結合されて支持部の水平断面において点対称な花弁形状のシェル構造を構成し、円形底盤部は、内部が空洞の円形状のシェル構造を構成してなり、支持部と円形底盤部とは一体に結合されてシェル構造を構成してなることを特徴とする生花の支持具。
【請求項２】
支持部の高さｈ＝ｈ０の最上部から高さｈ＝ｈ１までは、支持部の断面形状が合同形であり、それから下は、下方に行くに従って拡大する相似形であることを特徴とする請求項１に記載された生花の支持具。
【請求項３】
支持部の高さｈ＝ｈ２の位置に切欠き開口部を設けて輪ゴム等で閉めることを可能にしたことを特徴とする請求項１〜２の何れかに記載された生花の支持具。
【請求項４】
支持部が弾性材料から構成され、支持部の生花挿入口が縮まるように支持部の内部に初期応力が残留していることを特徴とする請求項１〜３の何れかに記載された生花の支持具。
【請求項５】
請求項１〜２の何れかに記載された生花の支持具と防水シートの組合せ。
【考案の詳細な説明】
【技術分野】
【０００１】
本考案は、生花の支持具に関する。
本考案は、生花の支持具と防水シートの組合せに関する。
【背景技術】
【０００２】
従来、生花の小売店では、茎の太さ、枝振りの異なる種々の切花を束ねて、顧客にて提供することが、日常的になされている。
そして、生花の鮮度を保つために、スポンジ状の蓋を備えた水容器に水を容れて、生花の切り口を個々に、当該スポンジ状の蓋に、容器の底に届くまで、突き刺して、生花を支持すると同時に、生花の水揚げを可能とするにしていた。
しかし、上記従来技術においては、当該スポンジ状の蓋に生花の切り口を突き刺す際に、生花の導管を損傷して、生花の水揚げが阻害されて、生花が短期間に枯れるのを防止することができず、また、水容器の底と生花の切り口は不安定な摩擦抵抗の力のみによって支持されるので、  生花を確実に支持するには不十分であるという欠点が有った。
【０００３】
なお、本願考案と直接関係しないが、先行技術文献として、以下の通り掲載する。
【先行技術文献】
【特許文献】
【０００４】
【特許文献１】実開Ｈ０５−８５２３６号公報
【考案の概要】
【考案が解決しようとする課題】
【０００５】
○本考案が解決しようとする第１課題
本考案が解決しようとする第１課題は、生花を確実に支持することが可能な生花の支持部及びそれと防水シートの組合せを提供することである。
○     本考案が解決しようとする第２課題
本考案が解決しようとする第２課題は、生花の導管を損傷して生花の水揚げが阻害されて生花が短期間に枯れるのを防止しつつ、生花を確実に支持することが可能な生花の支持部と防水シートの組合せを提供することである。
【課題を解決するための手段】
【０００６】
上記課題を解決するため、考案者は、創意工夫を重ね、本考案を完成させたものである。
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○生花の支持具とは、花を束ねてテーブル等の上に置いて安定して支持することができるシェル構造の器具をいう。
生花の支持具は、シェル構造の支持部とシェル構造の円形底盤部から構成される。
○花器とは、花を生ける器具をいうが、本考案では、生花の支持具と防水シートの組合せから構成されている。
○支持部とは、花を束ねて花束を支持する部分をいう。
支持部は、複数のＳ字形状片（Ｓ）から構成された花弁形状体（ＳＳ）からなり、Ｓ字形状片（Ｓ）は、相互に結合されて支持部の水平断面において点対称な花弁形状のシェル構造を構成している。
○円形底盤部とは、花を束ねて花束を支持する部分（支持部）と結合してテーブル等に花束を支持して安定して置くことが可能となる、内部が空洞の円形状のシェル構造を構成してなる部分をいう。
○一体に結合とは、２またはそれ以上のものが合わさって一つになった状態をいう。
○Ｓ字形状片とは、その水平断面がＳ字形状をした垂直方向に長い形状体であり、支持部（花弁形状体）の構成要素をいう。
○花弁形状体とは、複数のＳ字形状片（Ｓ）から構成され、Ｓ字形状片（Ｓ）が、相互に結合されて支持部の水平断面において点対称な花弁形状のシェル構造を構成している。
○支持部の水平断面とは、底盤部下面からの高さｈに位置する水平断面をいう。
○点対称な形状とは、ある点を中心に１８０°回転させたとき、元の形状と一致する形状をいう。
○切欠き開口部とは、支持部の一部が切り取られ、欠けていて開口している部分をいう。
○弾性材料とは、力で変形した物体が、力を取り去るともとに戻ろうとする材料をいう。
○生花挿入口とは、支持部の最上部にある生花を挿入するための開口をいう。
○初期応力とは、外力が作用していない最初の状態で残留する応力をいう。
○防水シートとは、薄くて広いものをいい、花を束ねて支持した支持具を、防水シートで包んで、支持具と本防水シートの間に水を入れるために使用される。防水シートは、支持具と組み合わせて、花器を構成する。防水シートの材料は、プラスチック、布、紙、金属等である。
課題を解決するための手段は、本願の実用新案登録請求の範囲の各請求項に記載された考案であり、その具体的な解決手段は、以下の通りである。
○第１の考案（請求項１に記載の考案）
●上記の課題を解決するための第１の考案（請求項１に記載の考案）は、支持部と円形底盤部からなる生花の支持具において、支持部は、複数のＳ字形状片（Ｓ）から構成された花弁形状体（ＳＳ）からなり、Ｓ字形状片（Ｓ）は、相互に結合されて支持部の水平断面において点対称な花弁形状のシェル構造を構成し、円形底盤部は、内部が空洞の円形状のシェル構造を構成してなり、支持部と円形底盤部とは一体に結合されてシェル構造を構成してなることを特徴とする生花の支持具である。
○第２の考案（請求項２に記載の考案）
●上記の課題を解決するための第２の考案（請求項２に記載の考案）は、支持部の高さｈ＝ｈ０の最上部から高さｈ＝ｈ１までは、支持部の断面形状が合同形であり、それから下は、下方に行くに従って拡大する相似形であることを特徴とする請求項１に記載された生花の支持具である。
○第３の考案（請求項３に記載の考案）
●上記の課題を解決するための第３の考案（請求項３に記載の考案）は、支持部の高さｈ＝ｈ２の位置に切欠き開口部を設けて輪ゴム等で閉めることを可能にしたことを特徴とする請求項１〜２の何れかに記載された生花の支持具である。
○第４の考案（請求項４に記載の考案）
●上記の課題を解決するための第４の考案（請求項４に記載の考案）は、支持部が弾性材料から構成され、支持部の生花挿入口が縮まるように支持部の内部に初期応力が残留していることを特徴とする請求項１〜３の何れかに記載された生花の支持具である。
○第５の考案（請求項５に記載の考案）
●上記の課題を解決するための第５の考案（請求項５に記載の考案）は、上記生花の支持具と防水シートの組合せである。
【考案の効果】
【０００７】
本考案に係る、生花の支持具は、上記のような特徴的構成要件から構成され、特徴的構成要件に応じた、以下のような本願考案特有の効果を奏する。
また、上記の各考案に応じた、上記のような特徴的構成要件から構成された生花の支持具によれば、本願考案の課題を十分解消することができた。
○第１の考案の効果
●第１の考案によれば、第１の考案の特徴的な構成要件により、本考案が解決しようとする第１課題を達成することができ、当業者予測不可能な顕著な効果を奏することができた。
○第２の考案の効果
●第２の考案によれば、第２の考案の特徴的な構成要件により、本考案が解決しようとする第１課題を達成することができ、当業者予測不可能な顕著な効果を奏することができた。
○第３の考案の効果
●第３の考案によれば、第３の考案の特徴的な構成要件により、本考案が解決しようとする第１課題を達成することができ、当業者予測不可能な顕著な効果を奏することができた。
○第４の考案の効果
●第４の考案によれば、第４の考案の特徴的な構成要件により、本考案が解決しようとする第１課題を達成することができ、当業者予測不可能な顕著な効果を奏することができた。
○第５の考案の効果
●第５の考案によれば、第５の考案の特徴的な構成要件により、本考案が解決しようとする第２課題を達成することができ、当業者予測不可能な顕著な効果を奏することができた。
【考案を実施するための最良の形態】
【０００８】
以下、本考案に係る、生花の支持具に関する最良の実施形態について、図面を参照しながら説明する。
図１は、本考案に係る生花の支持部の斜視図である。
図２は、本考案に係る生花の支持部の正面断面図である。
図３（ａ）は、本考案に係る生花の支持部の水平断面図（図２のＡ−Ａ斜視図）である。
図３（ｂ）は、本考案に係る生花の支持部の水平断面図（図２のＢ−Ｂ斜視図）である。
図３（ｃ）は、本考案に係る生花の支持部の水平断面図（図２のＣ−Ｃ斜視図）である。
図４（ａ）は、本考案に係る防水シートの平面図である。
図４（ｂ）は、本考案に係る防水シートの正面断面図（図４（ａ）のＡ−Ａ斜視図）である。
図５（ａ）は、生花挿入補助具（Ａ）の斜視図である。
図５（ｂ）は、生花挿入補助具（Ｂ）の斜視図である。
図５（ｃ）は、生花挿入補助具（Ａ）の使用状態を示す図である。
図６は、生花の支持具と防水シートの組合せの使用状態を示す図である。
図７は、図３（ａ）、又は図３（ｂ）の一部拡大図である。
以下、本考案に係る、生花の支持具について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案に係る生花の支持具１００は、支持部ＳＴと円形底盤部ＰＴから構成されている。
Ｓ字形状片Ｓは、相互に結合されて支持部ＳＴの水平断面において点対称な花弁形状体ＳＳのシェル構造を構成している。
Ｓ字形状片Ｓは、支持部のＳ字形状片の外側輪郭Ｓ１と支持部のＳ字形状片の内側輪郭ＳＳ２の間の厚さが薄いシェル構造を構成している。
花弁形状体ＳＳは、花弁形状体の外側輪郭ＳＳ１と花弁形状体の内側輪郭ＳＳ２の間の厚さが薄いシェル構造を構成している。
円形底盤部ＰＴは、内部が空洞の円形状のシェル構造を構成している。
本考案に係る生花の支持具１００は、支持部ＳＴと円形底盤部ＰＴとは一体に結合されてシェル構造を構成している。
＊＊＊＊＊＊＊＊＊＊＊＊＊＊＊＊＊＊＊＊＊＊＊＊＊＊＊＊＊＊＊＊＊＊＊
＜生花挿入補助具＞
Ａ．生花挿入補助具（ＩＡ）
生花挿入補助具ＩＡは、円筒状のシェル構造からなる。
生花挿入補助具ＩＡの使用方法は下記の通りである。
（１）本考案に係る生花の支持具１００の生花挿入口Ｏを拡径して、生花挿入補助具ＩＡを、生花の支持具１００の中に下側から（上側からでも可）挿入し収納する
（２）次に、生花Ｆｌｒの束を生花挿入補助具ＩＡの中に、挿入し収納する。
（３）そして、生花挿入補助具ＩＡを、生花の支持具１００の中から下側から外に取り出す。
（４）これにより、生花の支持具１００の中に、生花Ｆｌｒの束を挿入し収納することができ、生花Ｆｌｒを確実に支持することが可能な生花の支持部１００を提供することができる。
Ｂ．生花挿入補助具（Ｂ）
生花挿入補助具ＩＢは、円盤状の台ＩＢ０の中心部から一定の半径の円周上の位置に一定長さの複数の棒ＩＢ１を垂直に立てた構造からなる。
生花挿入補助具ＩＢの使用方法は下記の通りである。
（１）本考案に係る生花の支持具１００の生花挿入口Ｏを拡径して、生花挿入補助具ＩＢの棒ＩＢ１の部分を、生花の支持具１００の中に下側から挿入し収納する。
（２）次に、生花の束を生花挿入補助具ＩＢの棒ＩＢ１の内側の中に、挿入し収納する。
（３）そして、生花挿入補助具ＩＢの棒ＩＢ１を、生花の支持具の中から下側から外に取り出す。
（４）これにより、生花の支持具１００の中に、生花Ｆｌｒ挿入し収納することができ、生花Ｆｌｒに支持することが可能な生花の支持部１００することができる。
○第１の考案の効果
●第１の考案によれば、第１の考案の特徴的な構成要件により、本考案が解決しようとする第１課題を達成することができ、当業者予測不可能な顕著な効果を奏することができた。
具体的には、支持部ＳＴが、花弁形状のシェル構造を有することから、周方向の曲げにはフレキシビリティーが有り、垂直方向の曲げには剛性が高いので、生花挿入口Ｏを拡大縮小が容易であり、生花Ｆｌｒを支持具内に挿入し、収納後は支持具の上部を結わえることによって、生花Ｆｌｒを確実に支持する生花支持具を提供することが可能となる。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の生花の支持具において、支持部ＳＴの高さｈ＝ｈ０の最上部から一定高さｈ＝ｈ１まで、支持部ＳＴの断面形状が合同形であり、それから下は、下方に行くに従って拡大する相似形であることを特徴とする生花の支持具１００が開示されている。
○第２の考案の効果
●第２の考案によれば、第２の考案の特徴的な構成要件により、本考案が解決しようとする第１課題を達成することができ、当業者予測不可能な顕著な効果を奏することができた。
具体的には、支持部ＳＴの高さｈ＝ｈ０から支持部ＳＴの高さｈ＝ｈ１までは、同じ断面形状をしているので、点支持ではなく面支持をすることができるので、生花Ｆｌｒを確実に支持することが可能な生花の支持具１００を提供することができる。
さらに、支持部ＳＴの高さｈ＝ｈ１から下は、下方に行くに従って拡大する相似形であることという特徴的な構成要件により、支持具の円形底盤部ＰＴの面積を大きくすることができるので、支持具が安定し、大きな生花Ｆｌｒであっても、生花Ｆｌｒを確実に支持することが可能な生花の支持具１００を提供することができる。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の生花の支持具１００において、支持部ＳＴの高さｈ＝ｈ２の位置に切欠き開口部ｎを設けて輪ゴム等で閉めることを可能にしたことを特徴とする請求項１〜２の何れかに記載された生花の支持具１００が開示されている。
○第３の考案の効果
●第３の考案によれば、第３の考案の特徴的な構成要件により、本考案が解決しようとする第１課題を達成することができ、当業者予測不可能な顕著な効果を奏することができた。
具体的には、支持部ＳＴの上部に同一高さの位置に切欠き開口部ｎを設けて輪ゴム等ｒで閉めることを可能にしたという特徴的な構成要件により、輪ゴム等ｒの締め付け力が生花Ｆｌｒに直接作用することにより、生花Ｆｌｒを確実に支持することが可能な生花の支持具１００を提供することができる。
支持部ＳＴに切欠き開口部ｎを設けたことにより、輪ゴム等ｒがその位置からずれることなく、生花Ｆｌｒを確実に支持することが可能な生花の支持具１００を提供することができる。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の生花の支持具１００において、支持部ＳＴが弾性材料から構成され、支持部ＳＴの生花挿入口Ｏが縮まるように支持部ＳＴの内部に初期応力が残留していることを特徴とする請求項１〜３の何れかに記載された生花の支持具１００が開示されている。
○第４の考案の効果
●第４の考案によれば、第４の考案の特徴的な構成要件により、本考案が解決しようとする第１課題〜第８課題を達成することができ、当業者予測不可能な顕著な効果を奏することができた。
具体的には、支持部ＳＴが弾性材料から構成され、支持部ＳＴの生花挿入口Ｏが縮まるように支持部ＳＴの内部に初期応力が残留していることという特徴的な構成要件により、支持部ＳＴに切欠き開口部ｎを設けて輪ゴム等ｒで閉めることなく、初期応力による生花挿入口Ｏの締め付け力が生花Ｆｌｒに直接作用することにより、生花Ｆｌｒを確実に支持することが可能な生花の支持具１００を提供することができる。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記生花の支持具１００を用いてなる、生花の支持具１００と防水シートの組合せ２００が開示されている。
○第５の考案の効果
●第５の考案によれば、第５の考案の特徴的な構成要件により、本考案が解決しようとする第２課題を達成することができ、当業者予測不可能な顕著な効果を奏することができた。
具体的には、上記生花の支持具１００と防水シート１５０の組合せという特徴的な構成要件により、生花Ｆｌｒの束が挿入された生花の支持具１００の下に防水シート１５０を敷いて、生花Ｆｌｒの束が挿入された生花の支持具１００を覆うように包み、生花Ｆｌｒの束と支持部ＳＴの生花挿入口Ｏの間の隙間から水Ｗを容れた後に、防水シート１５０を支持部ＳＴ上部でリボン状帯Ｒｂｎで結べば、本考案が解決しようとする第２課題を達成することができ、生花Ｆｌｒの導管を損傷して生花Ｆｌｒの水揚げが阻害されて生花Ｆｌｒが短期間に枯れるのを防止しつつ、生花を確実に支持することが可能な生花の支持部ＳＴと防水シートの組合せ２００を提供することができる。
【図面の簡単な説明】
【０００９】
【図１】図１は、本考案に係る生花の支持部の斜視図である。
【図２】図２は、本考案に係る生花の支持部の正面断面図である。
【図３】図３（ａ）は、本考案に係る生花の支持部の水平断面図（図２のＡ−Ａ斜視図）である。図３（ｂ）は、本考案に係る生花の支持部の水平断面図（図２のＢ−Ｂ斜視図）である。図３（ｃ）は、本考案に係る生花の支持部の水平断面図（図２のＣ−Ｃ斜視図）である。
【図４】図４（ａ）は、本考案に係る防水シートの平面図である。図４（ｂ）は、本考案に係る防水シートの正面断面図（図４（ａ）のＡ−Ａ斜視図）である。
【図５】図５（ａ）は、生花挿入補助具（Ａ）の斜視図である。図５（ｂ）は、生花挿入補助具（Ｂ）の斜視図である。図５（ｃ）は、生花挿入補助具（Ａ）の使用状態を示す図である。図５（ｄ）、生花挿入補助具（Ｂ）の使用状態を示す図である。
【図６】図６は、生花の支持具と防水シートの組合せの使用状態を示す図である。
【図７】図7は、又は図３（ａ）、図３（ｂ）の一部拡大図である。
【符号の説明】
【００１０】
１００……生花の支持具
１５０……防水シート
２００……生花の支持具と防水シートの組合せ（花器）
Ｒｂｎ……リボン状帯
Ｓ……Ｓ字形状片
ＳＳ……花弁形状体
Ｓ１……Ｓ字形状片の外側輪郭
Ｓ２……Ｓ字形状片の内側輪郭
ＳＳ１……花弁形状体の外側輪郭
ＳＳ２……花弁形状体の内側輪郭
ＳＴ……支持部
ＰＴ……円形底盤部
ｈ……支持部の円盤底盤の下面からの高さ
ｎ……切欠き開口部
ｒ……輪ゴム
Ｏ……生花挿入口
ＩＡ……生花挿入補助具（Ａ）
ＩＢ……生花挿入補助具（Ｂ）
ＩＢ０……円盤状の台
ＩＢ１……棒
Ｆｌｒ……生花
Ｗ……水
【図１】
0003172462.tif 000003
【図２】
0003172462.tif 000004
【図３】
0003172462.tif 000005
【図４】
0003172462.tif 000006
【図５】
0003172462.tif 000007
【図６】
0003172462.tif 000008
【図７】
0003172462.tif 000009
【手続補正書】
【提出日】平成23年10月16日(2011.10.16)
【手続補正１】
【補正対象書類名】実用新案登録請求の範囲
【補正対象項目名】全文
【補正方法】変更
【補正の内容】
【実用新案登録請求の範囲】
【請求項１】
支持部と円形底盤部からなる生花の支持具において、支持部は、複数のＳ字形状片（Ｓ）から構成された花弁形状体（ＳＳ）からなり、Ｓ字形状片（Ｓ）は、相互に結合されて支持部の水平断面において点対称な花弁形状のシェル構造を構成し、円形底盤部は、内部が空洞の円形状のシェル構造を構成してなり、支持部と円形底盤部とは一体に結合されてシェル構造を構成してなることを特徴とする生花の支持具。
【請求項２】
支持部の高さｈ＝ｈ０の最上部から高さｈ＝ｈ１までは、支持部の断面形状が合同形であり、それから下は、下方に行くに従って拡大する相似形であることを特徴とする請求項１に記載された生花の支持具。
【請求項３】
前記支持部の高さｈ＝ｈ２の位置における前記花弁形状体の外側輪郭には、切欠き開口部が設けられ、該開口部は輪ゴム等で締めることを可能にしたことを特徴とする請求項１〜２の何れかに記載された生花の支持具。
【請求項４】
前記支持部が弾性材料から構成され、前記切欠き開口部に前記輪ゴム等を装着したとき、前記支持部の生花挿入口が縮まるように支持部の内部に初期応力が残留していることを特徴とする請求項１〜３の何れかに記載された生花の支持具。
【請求項５】
請求項１〜２の何れかに記載された生花の支持具と防水シートの組合せ。
【手続補正２】
【補正対象書類名】明細書
【補正対象項目名】全文
【補正方法】変更
【補正の内容】
【考案の詳細な説明】
【技術分野】
【０００１】
本考案は、生花の支持具に関する。
本考案は、生花の支持具と防水シートの組合せに関する。
【背景技術】
【０００２】
従来、生花の小売店では、茎の太さ、枝振りの異なる種々の切花を束ねて、顧客にて提供することが、日常的になされている。
そして、生花の鮮度を保つために、スポンジ状の蓋を備えた水容器に水を容れて、生花の切り口を個々に、当該スポンジ状の蓋に、容器の底に届くまで、突き刺して、生花を支持すると同時に、生花の水揚げを可能とするにしていた。
しかし、上記従来技術においては、当該スポンジ状の蓋に生花の切り口を突き刺す際に、生花の導管を損傷して、生花の水揚げが阻害されて、生花が短期間に枯れるのを防止することができず、また、水容器の底と生花の切り口は不安定な摩擦抵抗の力のみによって支持されるので、  生花を確実に支持するには不十分であるという欠点が有った。
【０００３】
なお、本願考案と直接関係しないが、先行技術文献として、以下の通り掲載する。
【先行技術文献】
【特許文献】
【０００４】
【特許文献１】実開Ｈ０５−８５２３６号公報
【考案の概要】
【考案が解決しようとする課題】
【０００５】
○本考案が解決しようとする第１課題
本考案が解決しようとする第１課題は、生花を確実に支持することが可能な生花の支持部及びそれと防水シートの組合せを提供することである。
○本考案が解決しようとする第２課題
本考案が解決しようとする第２課題は、生花の導管を損傷して生花の水揚げが阻害されて生花が短期間に枯れるのを防止しつつ、生花を確実に支持することが可能な生花の支持部と防水シートの組合せを提供することである。
【課題を解決するための手段】
【０００６】
上記課題を解決するため、考案者は、創意工夫を重ね、本考案を完成させたものである。
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○生花の支持具とは、花を束ねてテーブル等の上に置いて安定して支持することができるシェル構造の器具をいう。
生花の支持具は、シェル構造の支持部とシェル構造の円形底盤部から構成される。
○花器とは、花を生ける器具をいうが、本考案では、生花の支持具と防水シートの組合せから構成されている。
○支持部とは、花を束ねて花束を支持する部分をいう。
支持部は、複数のＳ字形状片（Ｓ）から構成された花弁形状体（ＳＳ）からなり、Ｓ字形状片（Ｓ）は、相互に結合されて支持部の水平断面において点対称な花弁形状のシェル構造を構成している。
○円形底盤部とは、花を束ねて花束を支持する部分（支持部）と結合してテーブル等に花束を支持して安定して置くことが可能となる、内部が空洞の円形状のシェル構造を構成してなる部分をいう。
○一体に結合とは、２またはそれ以上のものが合わさって一つになった状態をいう。
○Ｓ字形状片とは、その水平断面がＳ字形状をした垂直方向に長い形状体であり、支持部（花弁形状体）の構成要素をいう。
○花弁形状体とは、複数のＳ字形状片（Ｓ）から構成され、Ｓ字形状片（Ｓ）が、相互に結合されて支持部の水平断面において点対称な花弁形状のシェル構造を構成している。
○支持部の水平断面とは、底盤部下面からの高さｈに位置する水平断面をいう。
○点対称な形状とは、ある点を中心に１８０°回転させたとき、元の形状と一致する形状をいう。
○切欠き開口部とは、支持部の一部が切り取られ、欠けていて開口している部分をいう。
○弾性材料とは、力で変形した物体が、力を取り去るともとに戻ろうとする材料をいう。
○生花挿入口とは、支持部の最上部にある生花を挿入するための開口をいう。
○初期応力とは、外力が作用していない最初の状態で残留する応力をいう。
○防水シートとは、薄くて広いものをいい、花を束ねて支持した支持具を、防水シートで包んで、支持具と本防水シートの間に水を入れるために使用される。防水シートは、支持具と組み合わせて、花器を構成する。防水シートの材料は、プラスチック、布、紙、金属等である。
課題を解決するための手段は、本願の実用新案登録請求の範囲の各請求項に記載された考案であり、その具体的な解決手段は、以下の通りである。
○第１の考案（請求項１に記載の考案）
●上記の課題を解決するための第１の考案（請求項１に記載の考案）は、支持部と円形底盤部からなる生花の支持具において、支持部は、複数のＳ字形状片（Ｓ）から構成された花弁形状体（ＳＳ）からなり、Ｓ字形状片（Ｓ）は、相互に結合されて支持部の水平断面において点対称な花弁形状のシェル構造を構成し、円形底盤部は、内部が空洞の円形状のシェル構造を構成してなり、支持部と円形底盤部とは一体に結合されてシェル構造を構成してなることを特徴とする生花の支持具である。
○第２の考案（請求項２に記載の考案）
●上記の課題を解決するための第２の考案（請求項２に記載の考案）は、支持部の高さｈ＝ｈ０の最上部から高さｈ＝ｈ１までは、支持部の断面形状が合同形であり、それから下は、下方に行くに従って拡大する相似形であることを特徴とする請求項１に記載された生花の支持具である。
○第３の考案（請求項３に記載の考案）
●上記の課題を解決するための第３の考案（請求項３に記載の考案）は、前記支持部の高さｈ＝ｈ２の位置における前記花弁形状体の外側輪郭には、切欠き開口部が設けられ、該開口部は輪ゴム等で締めることを可能にしたことを特徴とする請求項１〜２の何れかに記載された生花の支持具である。
○第４の考案（請求項４に記載の考案）
●上記の課題を解決するための第４の考案（請求項４に記載の考案）は、前記支持部が弾性材料から構成され、前記切欠き開口部に前記輪ゴム等を装着したとき、前記支持部の生花挿入口が縮まるように支持部の内部に初期応力が残留していることを特徴とする請求項１〜３の何れかに記載された生花の支持具である。
○第５の考案（請求項５に記載の考案）
●上記の課題を解決するための第５の考案（請求項５に記載の考案）は、上記生花の支持具と防水シートの組合せである。
【考案の効果】
【０００７】
本考案に係る、生花の支持具は、上記のような特徴的構成要件から構成され、特徴的構成要件に応じた、以下のような本願考案特有の効果を奏する。
また、上記の各考案に応じた、上記のような特徴的構成要件から構成された生花の支持具によれば、本願考案の課題を十分解消することができた。
○第１の考案の効果
●第１の考案によれば、第１の考案の特徴的な構成要件により、本考案が解決しようとする第１課題を達成することができ、当業者予測不可能な顕著な効果を奏することができた。
○第２の考案の効果
●第２の考案によれば、第２の考案の特徴的な構成要件により、本考案が解決しようとする第１課題を達成することができ、当業者予測不可能な顕著な効果を奏することができた。
○第３の考案の効果
●第３の考案によれば、第３の考案の特徴的な構成要件により、本考案が解決しようとする第１課題を達成することができ、当業者予測不可能な顕著な効果を奏することができた。
○第４の考案の効果
●第４の考案によれば、第４の考案の特徴的な構成要件により、本考案が解決しようとする第１課題を達成することができ、当業者予測不可能な顕著な効果を奏することができた。
○第５の考案の効果
●第５の考案によれば、第５の考案の特徴的な構成要件により、本考案が解決しようとする第２課題を達成することができ、当業者予測不可能な顕著な効果を奏することができた。
【考案を実施するための最良の形態】
【０００８】
以下、本考案に係る、生花の支持具に関する最良の実施形態について、図面を参照しながら説明する。
図１は、本考案に係る生花の支持部の斜視図である。
図２は、本考案に係る生花の支持部の正面断面図である。
図３（ａ）は、本考案に係る生花の支持部の水平断面図（図２のＡ−Ａ斜視図）である。
図３（ｂ）は、本考案に係る生花の支持部の水平断面図（図２のＢ−Ｂ斜視図）である。
図３（ｃ）は、本考案に係る生花の支持部の水平断面図（図２のＣ−Ｃ斜視図）である。
図４（ａ）は、本考案に係る防水シートの平面図である。
図４（ｂ）は、本考案に係る防水シートの正面断面図（図４（ａ）のＡ−Ａ斜視図）である。
図５（ａ）は、生花挿入補助具（Ａ）の斜視図である。
図５（ｂ）は、生花挿入補助具（Ｂ）の斜視図である。
図５（ｃ）は、生花挿入補助具（Ａ）の使用状態を示す図である。
図６は、生花の支持具と防水シートの組合せの使用状態を示す図である。
図７は、図３（ａ）、又は図３（ｂ）の一部拡大図である。
以下、本考案に係る、生花の支持具について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
本考案に係る生花の支持具１００は、支持部ＳＴと円形底盤部ＰＴから構成されている。
Ｓ字形状片Ｓは、相互に結合されて支持部ＳＴの水平断面において点対称な花弁形状体ＳＳのシェル構造を構成している。
Ｓ字形状片Ｓは、支持部のＳ字形状片の外側輪郭Ｓ１と支持部のＳ字形状片の内側輪郭ＳＳ２の間の厚さが薄いシェル構造を構成している。
花弁形状体ＳＳは、花弁形状体の外側輪郭ＳＳ１と花弁形状体の内側輪郭ＳＳ２の間の厚さが薄いシェル構造を構成している。
円形底盤部ＰＴは、内部が空洞の円形状のシェル構造を構成している。
本考案に係る生花の支持具１００は、支持部ＳＴと円形底盤部ＰＴとは一体に結合されてシェル構造を構成している。
＊＊＊＊＊＊＊＊＊＊＊＊＊＊＊＊＊＊＊＊＊＊＊＊＊＊＊＊＊＊＊＊＊＊＊
＜生花挿入補助具＞
Ａ．生花挿入補助具（ＩＡ）
生花挿入補助具ＩＡは、円筒状のシェル構造からなる。
生花挿入補助具ＩＡの使用方法は下記の通りである。
（１）本考案に係る生花の支持具１００の生花挿入口Ｏを拡径して、生花挿入補助具ＩＡを、生花の支持具１００の中に下側から（上側からでも可）挿入し収納する
（２）次に、生花Ｆｌｒの束を生花挿入補助具ＩＡの中に、挿入し収納する。
（３）そして、生花挿入補助具ＩＡを、生花の支持具１００の中から下側から外に取り出す。
（４）これにより、生花の支持具１００の中に、生花Ｆｌｒの束を挿入し収納することができ、生花Ｆｌｒを確実に支持することが可能な生花の支持部１００を提供することができる。
Ｂ．生花挿入補助具（Ｂ）
生花挿入補助具ＩＢは、円盤状の台ＩＢ０の中心部から一定の半径の円周上の位置に一定長さの複数の棒ＩＢ１を垂直に立てた構造からなる。
生花挿入補助具ＩＢの使用方法は下記の通りである。
（１）本考案に係る生花の支持具１００の生花挿入口Ｏを拡径して、生花挿入補助具ＩＢの棒ＩＢ１の部分を、生花の支持具１００の中に下側から挿入し収納する。
（２）次に、生花の束を生花挿入補助具ＩＢの棒ＩＢ１の内側の中に、挿入し収納する。
（３）そして、生花挿入補助具ＩＢの棒ＩＢ１を、生花の支持具の中から下側から外に取り出す。
（４）これにより、生花の支持具１００の中に、生花Ｆｌｒ挿入し収納することができ、生花Ｆｌｒに支持することが可能な生花の支持部１００することができる。
○第１の考案の効果
●第１の考案によれば、第１の考案の特徴的な構成要件により、本考案が解決しようとする第１課題を達成することができ、当業者予測不可能な顕著な効果を奏することができた。
具体的には、支持部ＳＴが、花弁形状のシェル構造を有することから、周方向の曲げにはフレキシビリティーが有り、垂直方向の曲げには剛性が高いので、生花挿入口Ｏを拡大縮小が容易であり、生花Ｆｌｒを支持具内に挿入し、収納後は支持具の上部を結わえることによって、生花Ｆｌｒを確実に支持する生花支持具を提供することが可能となる。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の生花の支持具において、支持部ＳＴの高さｈ＝ｈ０の最上部から一定高さｈ＝ｈ１まで、支持部ＳＴの断面形状が合同形であり、それから下は、下方に行くに従って拡大する相似形であることを特徴とする生花の支持具１００が開示されている。
○第２の考案の効果
●第２の考案によれば、第２の考案の特徴的な構成要件により、本考案が解決しようとする第１課題を達成することができ、当業者予測不可能な顕著な効果を奏することができた。
具体的には、支持部ＳＴの高さｈ＝ｈ０から支持部ＳＴの高さｈ＝ｈ１までは、同じ断面形状をしているので、点支持ではなく面支持をすることができるので、生花Ｆｌｒを確実に支持することが可能な生花の支持具１００を提供することができる。
さらに、支持部ＳＴの高さｈ＝ｈ１から下は、下方に行くに従って拡大する相似形であることという特徴的な構成要件により、支持具の円形底盤部ＰＴの面積を大きくすることができるので、支持具が安定し、大きな生花Ｆｌｒであっても、生花Ｆｌｒを確実に支持することが可能な生花の支持具１００を提供することができる。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の生花の支持具１００において、支持部ＳＴの高さｈ＝ｈ２の位置に切欠き開口部ｎを設けて輪ゴム等で締めることを可能にしたことを特徴とする請求項１〜２の何れかに記載された生花の支持具１００が開示されている。
○第３の考案の効果
●第３の考案によれば、第３の考案の特徴的な構成要件により、本考案が解決しようとする第１課題を達成することができ、当業者予測不可能な顕著な効果を奏することができた。
具体的には、支持部ＳＴの上部に同一高さの位置に切欠き開口部ｎを設けて輪ゴム等ｒで締めることを可能にしたという特徴的な構成要件により、輪ゴム等ｒの締め付け力が生花Ｆｌｒに直接作用することにより、生花Ｆｌｒを確実に支持することが可能な生花の支持具１００を提供することができる。
支持部ＳＴに切欠き開口部ｎを設けたことにより、輪ゴム等ｒがその位置からずれることなく、生花Ｆｌｒを確実に支持することが可能な生花の支持具１００を提供することができる。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の生花の支持具１００において、支持部ＳＴが弾性材料から構成され、支持部ＳＴの生花挿入口Ｏが縮まるように支持部ＳＴの内部に初期応力が残留していることを特徴とする請求項１〜３の何れかに記載された生花の支持具１００が開示されている。
○第４の考案の効果
●第４の考案によれば、第４の考案の特徴的な構成要件により、本考案が解決しようとする第１課題〜第８課題を達成することができ、当業者予測不可能な顕著な効果を奏することができた。
具体的には、支持部ＳＴが弾性材料から構成され、支持部ＳＴの生花挿入口Ｏが縮まるように支持部ＳＴの内部に初期応力が残留していることという特徴的な構成要件により、支持部ＳＴに切欠き開口部ｎを設けて輪ゴム等ｒで締めることなく、初期応力による生花挿入口Ｏの締め付け力が生花Ｆｌｒに直接作用することにより、生花Ｆｌｒを確実に支持することが可能な生花の支持具１００を提供することができる。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記生花の支持具１００を用いてなる、生花の支持具１００と防水シートの組合せ２００が開示されている。
○第５の考案の効果
●第５の考案によれば、第５の考案の特徴的な構成要件により、本考案が解決しようとする第２課題を達成することができ、当業者予測不可能な顕著な効果を奏することができた。
具体的には、上記生花の支持具１００と防水シート１５０の組合せという特徴的な構成要件により、生花Ｆｌｒの束が挿入された生花の支持具１００の下に防水シート１５０を敷いて、生花Ｆｌｒの束が挿入された生花の支持具１００を覆うように包み、生花Ｆｌｒの束と支持部ＳＴの生花挿入口Ｏの間の隙間から水Ｗを容れた後に、防水シート１５０を支持部ＳＴ上部でリボン状帯Ｒｂｎで結べば、本考案が解決しようとする第２課題を達成することができ、生花Ｆｌｒの導管を損傷して生花Ｆｌｒの水揚げが阻害されて生花Ｆｌｒが短期間に枯れるのを防止しつつ、生花を確実に支持することが可能な生花の支持部ＳＴと防水シートの組合せ２００を提供することができる。
【図面の簡単な説明】
【０００９】
【図１】図１は、本考案に係る生花の支持部の斜視図である。
【図２】図２は、本考案に係る生花の支持部の正面断面図である。
【図３】図３（ａ）は、本考案に係る生花の支持部の水平断面図（図２のＡ−Ａ斜視図）である。図３（ｂ）は、本考案に係る生花の支持部の水平断面図（図２のＢ−Ｂ斜視図）である。図３（ｃ）は、本考案に係る生花の支持部の水平断面図（図２のＣ−Ｃ斜視図）である。
【図４】図４（ａ）は、本考案に係る防水シートの平面図である。図４（ｂ）は、本考案に係る防水シートの正面断面図（図４（ａ）のＡ−Ａ斜視図）である。
【図５】図５（ａ）は、生花挿入補助具（Ａ）の斜視図である。図５（ｂ）は、生花挿入補助具（Ｂ）の斜視図である。図５（ｃ）は、生花挿入補助具（Ａ）の使用状態を示す図である。図５（ｄ）、生花挿入補助具（Ｂ）の使用状態を示す図である。
【図６】図６は、生花の支持具と防水シートの組合せの使用状態を示す図である。
【図７】図7は、又は図３（ａ）、図３（ｂ）の一部拡大図である。
【符号の説明】
【００１０】
１００……生花の支持具
１５０……防水シート
２００……生花の支持具と防水シートの組合せ（花器）
Ｒｂｎ……リボン状帯
Ｓ……Ｓ字形状片
ＳＳ……花弁形状体
Ｓ１……Ｓ字形状片の外側輪郭
Ｓ２……Ｓ字形状片の内側輪郭
ＳＳ１……花弁形状体の外側輪郭
ＳＳ２……花弁形状体の内側輪郭
ＳＴ……支持部
ＰＴ……円形底盤部
ｈ……支持部の円盤底盤の下面からの高さ
ｎ……切欠き開口部
ｒ……輪ゴム
Ｏ……生花挿入口
ＩＡ……生花挿入補助具（Ａ）
ＩＢ……生花挿入補助具（Ｂ）
ＩＢ０……円盤状の台
ＩＢ１……棒
Ｆｌｒ……生花
Ｗ……水